(57)【要約】【課題】筒部材と、その内部においてレンズを保持し且つ光軸方向に相対移動する保持部材との間から筒部材内に塵埃が侵入することを、保持部材の相対移動を阻害することなく、防止する。【解決手段】レンズ鏡筒１は、外装部材２と、外装部材２の内方に配設されて外装部材２に対して光軸Ｘ方向に相対移動可能に構成された、１群レンズ１１を保持する１群レンズ保持部材１５と、外装部材２と１群レンズ保持部材１５との間に設けられた可撓性を有する環状の防塵リング６とを備えている。防塵リング６は、一方の周縁部が外装部材２に取り付けられ且つ他方の周縁部が１群レンズ保持部材１５に取り付けられて、外装部材２と１群レンズ保持部材１５との隙間を塞いでいる。【選択図】図２
2010256568.tif 000002
【特許請求の範囲】
【請求項１】
レンズを光軸方向に移動可能に構成されたレンズ鏡筒であって、
筒部材と、
上記筒部材の内方に配設されて該筒部材に対して光軸方向に相対移動可能に構成された、レンズを保持する保持部材と、
上記筒部材と上記保持部材との間に設けられた可撓性を有する環状の防塵部材とを備え、
上記防塵部材は、一方の周縁部が上記筒部材に取り付けられ且つ他方の周縁部が上記保持部材に取り付けられて、該筒部材と該保持部材との隙間を塞いでいるレンズ鏡筒。
【請求項２】
請求項１に記載のレンズ鏡筒において、
上記防塵部材は、一方の周縁部が上記筒部材に取り付けられ且つ他方の周縁部が上記保持部材に取り付けられる、可撓性を有する環状の本体部と、該本体部よりも剛性が高い環状の押さえ部材とを有し、
上記本体部の少なくとも一方の周縁部には、フランジが形成されていて、
上記押さえ部材は、上記フランジを押さえ付けた状態で上記周縁部を上記筒部材又は上記保持部材に取り付けているレンズ鏡筒。
【請求項３】
請求項２に記載のレンズ鏡筒において、
上記本体部の、上記フランジを介して取り付けられる周縁部は、光軸と直交する面に取り付けられるレンズ鏡筒。
【請求項４】
請求項２又は３に記載のレンズ鏡筒において、
上記フランジには、上記筒部材又は上記保持部材の取付面に当接する位置に、取り付け時に該取付面と当接して圧縮変形するリブが設けられているレンズ鏡筒。
【請求項５】
請求項１に記載のレンズ鏡筒において、
上記防塵部材の周縁部のうち上記保持部材に取り付けられる周縁部は、該保持部材の光軸と直交する方向を向く面に取り付けられるレンズ鏡筒。
【発明の詳細な説明】
【技術分野】
【０００１】
本発明は、レンズ鏡筒に関するものである。
【背景技術】
【０００２】
従来より、レンズ鏡筒においては、レンズを光軸方向に移動させるべく、レンズを直接的又は間接的に保持する枠状の部材や筒状の部材を光軸方向に移動させるように構成されている。
【０００３】
特許文献１に係るレンズ鏡筒においては、固定外筒の内方に、距離環が設けられている。距離環には、レンズ保持枠が光軸方向に移動可能且つ回転不能に支持されている。レンズ保持枠にはレンズが保持されている。こうして、レンズは、レンズ保持枠を介して距離環に間接的に保持されている。距離環が固定外筒に対して光軸方向に移動すると、レンズ保持枠も距離環と共に光軸方向に移動し、レンズが光軸方向に移動することになる。
【０００４】
このような構成においては、固定外筒の内周面と距離環の外周面との間の隙間から、レンズ鏡筒内に塵埃が侵入することが問題となる。固定外筒の内方には、距離環等を移動させるカム機構やねじ機構等の駆動機構が配設されており、これらの摺動部に塵埃が侵入すると、距離環等の動きが悪くなる虞がある。あるいは、固定外筒の内方に侵入した塵埃がレンズに付着してしまう虞もある。このような塵埃は、レンズ鏡筒を分解しなければ取り除くことができず、ユーザが簡単に取り除くことはできない。
【０００５】
そこで、特許文献１に係るレンズ鏡筒においては、固定外筒の内周面に沿って環状の防塵リングを設けている。こうすることで、固定外筒の内周面と距離環の外周面との隙間から固定外筒の内方へ塵埃が侵入することを防いでいる。
【先行技術文献】
【特許文献】
【０００６】
【特許文献１】実開昭６２−１９７１１５号公報
【発明の概要】
【発明が解決しようとする課題】
【０００７】
しかしながら、特許文献１に係るレンズ鏡筒においては、防塵リングを固定外筒側に設け、防塵リングと距離環の外周面との間には僅かな隙間を設けている。こうすることで、防塵リングと距離環とが接触して摩擦が生じることを防止している。そのため、かかる構成では、塵埃の侵入を完全に防止することはできない。
【０００８】
一方、塵埃の侵入を完全に防止すべく、防塵リングと距離環の外周面とを接触させてしまうと、防塵リングと距離環との間に摩擦力が生じてしまうことに加えて、防塵リングや、あるいは防塵リングを配設している固定外筒の影響を受けて、距離環が光軸方向に移動する際に距離環の中心が光軸からずれてしまう虞がある。
【０００９】
ここに開示された技術は、かかる点に鑑みてなされたものであり、その目的とするところは、筒部材と、その内部においてレンズを保持し且つ光軸方向に相対移動する保持部材との間から筒部材内に塵埃が侵入することを、保持部材の相対移動を阻害することなく、防止することにある。
【課題を解決するための手段】
【００１０】
ここに開示されたレンズ鏡筒は、レンズを光軸方向に移動可能に構成されたレンズ鏡筒であって、筒部材と、上記筒部材の内方に配設されて該筒部材に対して光軸方向に相対移動可能に構成された、レンズを保持する保持部材と、上記筒部材と上記保持部材との間に設けられた可撓性を有する環状の防塵部材とを備えている。そして、上記防塵部材は、一方の周縁部が上記筒部材に取り付けられ且つ他方の周縁部が上記保持部材に取り付けられて、該筒部材と該保持部材との隙間を塞いでいる。
【発明の効果】
【００１１】
上記レンズ鏡筒によれば、上記防塵部材により上記筒部材と上記保持部材との間の隙間が塞がれているため、筒部材内に塵埃が侵入することを防止することができる。そして、防塵部材を筒部材と保持部材との両方に取り付ける構成であっても、該防塵部材に可撓性を持たせることによって、防塵部材が保持部材の相対移動を阻害してしまうことを防止することができる。
【図面の簡単な説明】
【００１２】
【図１】本実施形態に係るレンズ鏡筒の斜視図である。
【図２】レンズ鏡筒の概略構成を示す概略的な断面図である。
【図３】レンズ鏡筒の正面図である。
【図４】広角撮影状態のレンズ鏡筒の、図３のIV−IV線における断面図である。
【図５】広角撮影状態のレンズ鏡筒の、図３のＶ−Ｖ線における断面図である。
【図６】防塵リングの斜め後方からの斜視図である。
【図７】防塵リングの斜め前方からの斜視図である。
【図８】望遠撮影状態のレンズ鏡筒の、図３のIV−IV線における断面図である。
【発明を実施するための形態】
【００１３】
以下、例示的な実施形態を図面に基づいて詳細に説明する。図１は、レンズ鏡筒の斜視図であり、図２は、レンズ鏡筒の概略構成を示す概略的な断面図である。
【００１４】
本実施形態に係るレンズ鏡筒１は、外装部材２と、その内方に配設された１群レンズ１１、２群レンズ１２、３群レンズ１３及び４群レンズ１４を有している。１群レンズ１１は１群レンズ保持部材１５に、２群レンズ１２は２群レンズ保持部材１６に、３群レンズ１３は３群レンズ保持部材１７に、４群レンズ１４は４群レンズ保持部材１８にそれぞれ保持されている。１群〜３群レンズ保持部材１５〜１７は、カム機構又はネジ機構等によって、光軸Ｘ方向の相対直進移動及び光軸Ｘ周りの相対回転運動を相互に連動して行うように構成されている。こうして、１群レンズ１１、２群レンズ１２及び３群レンズ１３は、外装部材２の内方において、光軸Ｘ方向の位置が連動可能に構成されている。
【００１５】
次に、外装部材２について図２〜図５を参照して説明する。図３は、レンズ鏡筒１の正面図（即ち、光軸Ｘ方向から見た図）であり、図４は、広角撮影状態のレンズ鏡筒の、図３のIV−IV線における断面図であり、図５は広角撮影状態のレンズ鏡筒の、図３のＶ−Ｖ線における断面図である。外装部材２は、カメラ本体（図示省略）に取り付けられるレンズベース２１と、レンズベース２１の被写体側に設けられたレンズフード２２とを有している。この外装部材２が筒部材を構成する。以下、被写体側を前側、カメラ本体側を後側ともいう。
【００１６】
レンズベース２１は、円筒状の部材である。レンズベース２１の前端面にレンズフード２２が取り付けられる。また、レンズベース２１の外周面にはフォーカスリング２３とズームリング２４とが外嵌されている。これらフォーカスリング２３とズームリング２４とはそれぞれ独立して、レンズベース２１に対して回転可能に構成されている。これらフォーカスリング２３及びズームリング２４の少なくとも一方を回転させることによって、１群レンズ１１、２群レンズ１２及び３群レンズ１３の全て又は一部を光軸Ｘ方向に移動させて、各レンズを所望の光軸Ｘ方向位置へ配置することができる。
【００１７】
レンズフード２２は、レンズベース２１よりも大径の円筒状の部材である。レンズフード２２の後端部は、後端縁に向かってテーパ状に縮径しているテーパ部２２ａが形成されている。そして、レンズフード２２の後端縁、即ち、テーパ部２２ａの後端縁には半径方向内方に突出するフランジ２２ｂが全周に亘って形成されている。このフランジ２２ｂがレンズベース２１の前端面に取り付けられる。具体的には、レンズフード２２のフランジ２２ｂがレンズベース２１の前端面に対して防塵用のＯリング２５を挟持した状態でネジ止めされる。また、テーパ部２２ａの内周側には、テーパ部２２ａの内周に亘って環状に設けられた段部２２ｃが形成されている。段部２２ｃにおける、前方を向く面には、後述する防塵リング６を取り付けるための取付面２２ｄが形成されている。すなわち、取付面２２ｄの法線方向は、光軸Ｘと平行となるように形成されている。取付面２２ｄには、防塵リング６をネジ止めするためのネジ孔２２ｅ（図５に１つだけ図示）が周方向に間隔を空けて複数形成されている。また、取付面２２ｄの、ネジ孔２２ｅとネジ孔２２ｅとの間の部分には、円弧状の肉盗み部２２ｆが形成されている。
【００１８】
続いて、１群レンズ保持部材１５の構成について説明する。
【００１９】
１群レンズ保持部材１５は、１群レンズ１１が取り付けられる１群レンズ枠３と、該１群レンズ枠３が取り付けられる１群ホルダ４とを有している。この１群レンズ保持部材１５が保持部材を構成する。
【００２０】
１群レンズ枠３は、前から後ろへ向かって縮径している円筒状の本体部３０と、本体部３０の前端部に設けられて該本体部３０から半径方向外方に広がるフランジ３１とを有している。本体部３０の内周面には複数の環状の段部が形成されている。
【００２１】
１群レンズ１１は、Ｌ１レンズ１１ａ、Ｌ２レンズ１１ｂ、Ｌ３レンズ１１ｃ、Ｌ４レンズ１１ｄ及びＬ５レンズ１１ｅで構成されている。Ｌ４レンズ１１ｄ、Ｌ３レンズ１１ｃ、Ｌ２レンズ１１ｂ及びＬ１レンズ１１ａが、この順で１群レンズ枠３内へ前側から挿入され、１群レンズ枠３内の対応する段部に設置される。Ｌ１レンズ１１ａが１群レンズ枠３に設置された後、レンズ押さえ部材３７が本体部３０の前端部に前側からネジ締結される。その結果、Ｌ１レンズ１１ａ、Ｌ２レンズ１１ｂ、Ｌ３レンズ１１ｃ及びＬ４レンズ１１ｄが１群レンズ枠３に固定される。一方、Ｌ５レンズ１１ｅは、１群レンズ枠３内へ後側から挿入され、１群レンズ枠３内の対応する段部に設置される。こうして１群レンズ枠３内に配設されたＬ１レンズ１１ａ、Ｌ２レンズ１１ｂ、Ｌ３レンズ１１ｃ、Ｌ４レンズ１１ｄ及びＬ５レンズ１１ｅは、前から後ろに向かってこの順で並んでいる。
【００２２】
フランジ３１には、１群レンズ枠３を１群ホルダ４にネジ止めする際にネジ３４が挿通される３つの貫通孔３２が周方向に間隔を空けて貫通形成されている（図５に１つだけ図示）。また、フランジ３１には、後述する防塵リング６の取付作業を行うための６つの切欠部３３，３３，…が周方向に間隔を空けて形成されている。各切欠部３３は、フランジ３１の半径方向外方に開口すると共にフランジ３１を厚み方向に貫通するように形成されている。
【００２３】
１群ホルダ４は、円筒状の本体部４０と、本体部４０の前端部に設けられた該本体部４０から半径方向外方に広がるフランジ４１とを有している。１群ホルダ４は、上記２群〜４群レンズ保持部材１６〜１８とカム機構等を介して連結されており、フォーカスリング２３及びズームリング２４の少なくとも一方を回転駆動することによって、光軸Ｘ方向に直進移動するように構成されている。
【００２４】
本体部４０の外周面には、フランジ４１の近傍部分において、半径方向外方に突出する突起部４０ａが周方向に沿って形成されている。この突起部４０ａには、後述する防塵リング６の係合爪部６３ａが係合するようになっている。
【００２５】
フランジ４１は、フランジ３１と同様の環状に形成されている。そして、フランジ４１には、３つのネジ孔４２が周方向に間隔を空けて形成されている（図５に１つだけ図示）。ネジ孔４２には雌ネジが加工されている。このネジ孔４２は、フランジ３１の３つの貫通孔３２に対応する位置に形成されている。また、フランジ４１には、フランジ３１と同様に、防塵リング６の取付作業を行うための６つの切欠部４３が周方向に間隔を空けて形成されている（図５に１つだけ図示）。各切欠部４３は、フランジ４１の半径方向外方に開口すると共にフランジ４１を厚み方向に貫通するように形成されている。フランジ３１とフランジ４１とを重ね合わせたときに、両者の切欠部３３、４３とが重なるように形成されている。
【００２６】
このように構成されたフランジ４１には、１群レンズ枠３のフランジ３１が取り付けられる。フランジ３１とフランジ４１とは重ね合わされた状態でネジ３４によりネジ止めされる。このとき、ネジ３４の頭とフランジ３１との前面との間には板バネ３５が挟持されている。板バネ３５は、ネジ３４が貫通するネジ押さえ部３５ａとネジ押さえ部３５ａから延びる２本の脚部３５ｂ，３５ｂとを有している。各脚部３５ｂには、フランジ３１の前面に設けられた位置決めピン３６が嵌る位置決め孔３５ｃが形成されている。さらに詳しくは、一方の脚部３５ｂの位置決め孔３５ｃは、位置決めピン３６と同様の円形状をしており、他方の脚部３５ｂの位置決め孔３５ｃは、位置決めピン３６が嵌る程度の幅を有する長孔形状をしている。ネジ押さえ部３５ａは、脚部３５ｂ，３５ｂの先端部よりも前側に突出している。このように構成された板バネ３５を、位置決め孔３５ｃ，３５ｃが位置決めピン３６，３６に嵌るようにしてフランジ３１の前面に設置する。そして、ネジ３４をネジ押さえ部３５ａの貫通孔及びフランジ３１の貫通孔３２に挿通し、フランジ４１のネジ孔４２に螺合させる。そして、ネジ３４を締め付けることによって、板バネ３５のネジ押さえ部３５ａをフランジ３１に近接させていき、板バネ３５の脚部３５ｂ，３５ｂの弾性力によってフランジ３１をフランジ４１に押圧していく。こうして、板バネ３５の弾性力によってフランジ３１をフランジ４１に仮止めした状態で、フランジ３１の取付状態を調節し、最終的には、フランジ３１をネジ３４によりフランジ４１に固定する。尚、フランジ３１とフランジ４１との間にはＯリング３８が挟持されている。
【００２７】
このように構成された１群レンズ保持部材１５と外装部材２との間には、相対移動時における１群レンズ保持部材１５と外装部材２との接触を防止するための隙間が形成されている。そして、本実施形態では、この隙間から外装部材２の内方に塵埃が侵入しないように、防塵リング６が設けられている。
【００２８】
以下に、防塵リング６について、図６〜８を参照しながら説明する。図６は、防塵リング６の斜め後方からの斜視図であり、図７は防塵リング６の斜め前方からの斜視図であり、図８は、レンズ鏡筒が望遠撮影状態となったときの断面図である。
【００２９】
防塵リング６は、環状に形成されたゴム製の環状ゴム６１と、環状に形成された金属製の金属リング６２とを有している。この防塵リング６が防塵部材を、環状ゴム６１が本体部を、金属リング６２が押さえ部材を構成する。
【００３０】
環状ゴム６１は、相対的に小径の筒状部６３と、相対的に大径のフランジ６４と、筒状部６３とフランジ６４とを連結する可撓部６５とを有している。筒状部６３は、光軸Ｘ方向に延びる筒状に形成されている。筒状部６３の先端周縁には内側に突出する係合爪部６３ａが全周に亘って形成されている。係合爪部６３ａの内径は、１群ホルダ４の本体部４０の外径よりも少し小さな値に設定されている。フランジ６４は、平板状の部材であって、光軸Ｘを中心とした円環状に形成されている。フランジ６４の前面及び後面の法線方向は、光軸Ｘと平行になっている。フランジ６４には、半径方向外側に開口する切欠部６４ａ，６４ａ，…が周方向に間隔を空けて６個形成されている。これら切欠部６４ａ，６４ａ，…の位置は、後述する金属リング６２の貫通孔６２ａ，６２ａ，…の位置に対応している。また、フランジ６４の後面には、後方に突出するリブ６４ｂが全周に亘って環状に形成されている。可撓部６５は、環状の部材であって、一方の周縁部が筒状部６３の後端周縁と連結され、他方の周縁部がフランジ６４の内側周縁と連結されている。
【００３１】
金属リング６２は、環状ゴム６１のフランジ６４と同様の形状をしている。すなわち、金属リング６２は、平板状の部材であって、光軸Ｘを中心とした円環状に形成されている。金属リング６２の前面及び後面の法線方向は、光軸Ｘと平行になっている。金属リング６２の外径及び内径はそれぞれ、フランジ６４の外径及び内径と略一致している。金属リング６２には、防塵リング６をレンズフード２２にネジで取り付ける際にネジが貫通する貫通孔６２ａ，６２ａ，…が周方向に間隔を空けて６個形成されている。この金属リング６２は、フランジ６４の前面に取り付けられている。このとき、金属リング６２の貫通孔６２ａ，６２ａ，…は、フランジ６４の切欠部６４ａ，６４ａ，…の位置に位置し、後方に露出している。
【００３２】
続いて、防塵リング６の取付について説明する。
【００３３】
まず、１群レンズ保持部材１５を外装部材２に組み込む前の状態において、環状ゴム６１の筒状部６３を１群ホルダ４の本体部４０に取り付ける。詳しくは、筒状部６３を、本体部４０の後方から挿通していく。このとき、筒状部６３の内径は本体部４０の外径よりも小さいので、筒状部６３の内径を治具を用いて広げた状態で挿通作業を行ってもよいし、筒状部６３の内径を作業者が広げた状態で挿通作業を行ってもよい。筒状部６３の係合爪部６３ａが本体部４０の突起部４０ａを乗り越えるまで、筒状部６３を挿通していく。こうして係合爪部６３ａを突起部４０ａに係合させることで、防塵リング６の１群ホルダ４への取付が完了する。このとき、フランジ３１の切欠部３３及びフランジ４１の切欠部４３と、金属リング６２の貫通孔６２ａとが光軸Ｘ方向に並ぶように、防塵リング６が１群ホルダ４へ取り付けられる。その結果、金属リング６２の貫通孔６２ａは、フランジ３１の切欠部３３及びフランジ４１の切欠部４３を介して前方から見えるようになっている。
【００３４】
こうして、防塵リング６を１群ホルダ４に取り付けた状態で、１群レンズ保持部材１５を外装部材２内に組み込む。このとき、１群レンズ保持部材１５に対する外装部材２の角度を調節することによって、フランジ３１の切欠部３３、フランジ４１の切欠部４３及び金属リング６２の貫通孔６２ａと、レンズフード２２のネジ孔２２ｅとが光軸Ｘ方向に並ぶようになる。ここで、金属リング６２の貫通孔６２ａは、フランジ３１の切欠部３３及びフランジ４１の切欠部４３を介して前方へ露出しているため、ネジ６７を、フランジ３１の切欠部３３及びフランジ４１の切欠部４３を介して、前方から金属リング６２の貫通孔６２ａ及びレンズフード２２のネジ孔２２ｅに挿通させて、防塵リング６をレンズフード２２の取付面２２ｄにネジ止めすることができる。こうして、フランジ６４を金属リング６２とレンズフード２２の取付面２２ｄとで挟持するようにして、防塵リング６がレンズフード２２に取り付けられる。このとき、フランジ６４の後面に形成されたリブ６４ｂは取付面２２ｄに押し付けられて圧縮変形している。これにより、防塵リング６とレンズフード２２との間のシール性が向上している。尚、最終的には、図１に示すように、１群枠化粧リング１５ａが１群レンズ枠３の前面に取り付けられ、切欠部３３やネジ３４や板バネ３５は前方からは見えなくなっている。ただし、図３では、１群枠化粧リング１５ａの図示を省略している。
【００３５】
こうして、防塵リング６は、１群レンズ保持部材１５と外装部材２とに取り付けられ（詳しくは、１群ホルダ４とレンズフード２２とに取り付けられ）、１群レンズ保持部材１５と外装部材２との間の隙間を塞いでいる。この防塵リング６は可撓性を有するため、１群レンズ保持部材１５が外装部材２に対して光軸Ｘ方向へ相対移動する際に、その相対移動を阻害することがない。詳しくは、レンズ鏡筒１が広角撮影状態のときには、図４に示すように、可撓部６５が比較的撓んだ状態となり、レンズ鏡筒１が望遠撮影状態のときには、図８に示すように、防塵リング６の可撓部６５が比較的延びた状態となる。
【００３６】
したがって、本実施形態によれば、外装部材２と、外装部材２に対して光軸Ｘ方向へ相対的に移動する１群レンズ保持部材１５との間に防塵リング６を設けることによって、外装部材２と１群レンズ保持部材１５との間の隙間から外装部材２内に塵埃が侵入することを防止することができる。それに加えて、防塵リング６を可撓性を有する部材で構成することによって、１群レンズ保持部材１５の外装部材２に対する相対移動を阻害しないようにすることができる。
【００３７】
また、防塵リング６のフランジ６４を、該フランジ６４よりも剛性が高い金属リング６２で押さえ付けた状態で取り付けることによって、環状ゴム６１のように可撓性を有する部材であっても、フランジ６４の全周に亘って、できる限り均一な押圧力で取り付けることができる。すなわち、防塵リング６の可撓部６５は、１群レンズ保持部材１５の移動に追従して変形するが、その際に可撓部６５には１群レンズ保持部材１５の移動により多少の張力が発生する。フランジ６４を複数のネジ６７だけで取り付ける場合、フランジ６４が可撓性を有するため、フランジ６４のうちネジが位置していない部分は、この張力により取付面２２ｄから離れる虞がある。特に、フランジ６４の後面及びレンズフード２２の取付面２２ｄは、１群レンズ保持部材１５の移動方向である光軸Ｘ方向を向いているため、１群レンズ保持部材１５が移動するとき、特に、１群レンズ保持部材１５が前方に移動して可撓部６５が撓んだ状態から延びるときには、可撓部６５の張力がフランジ６４に対して、該フランジ６４を取付面２２ｄから引き離すように作用する。それに対して、フランジ６４よりも剛性が高い金属リング６２でフランジ６４の全周を押圧するようにして、フランジ６４を取付面２２ｄに取り付けることによって、可撓部６５の張力がフランジ６４に作用する場合であっても、フランジ６４が取付面２２ｄから引き離されることを防止して、フランジ６４と取付面２２ｄとの間のシール性を確保することができる。
【００３８】
さらに、フランジ６４の後面、即ち、取付面２２ｄと接触する面にリブ６４ｂを設けることによって、フランジ６４を取付面２２ｄに取り付けた際に該リブ６４ｂを圧縮変形させて、フランジ６４と取付面２２ｄとのシール性をさらに確保することができる。
【００３９】
さらにまた、フランジ６４を、光軸Ｘ方向を向く面である取付面２２ｄに取り付けることによって、レンズ鏡筒１の美感を損なうことなく、防塵リング６の取付を容易に実現することができる。すなわち、外装部材２を装着した後において、工具を半径方向から当てて防塵リング６を取り付ける必要がある場合には、外装部材２の外周面に工具を通すための孔等を形成しなければならず、外装部材２の美感が損なわれる。該孔を覆う部材を別途取り付けるとしても、別部材を設けることは外装部材２のデザイン上の制約となり、好ましいものではない。それに対して、外装部材２の前方から工具を挿入させる場合には、１群レンズ枠３と外装部材２との間には隙間があることに加え、１群レンズ枠３等に工具を挿通させる切欠部等を形成し、該切欠部を覆う部材（詳しくは、１群枠化粧リング１５ａ）を別途取り付けたとしても、１群レンズ保持部材１５の前端部、即ち、１群レンズ枠３のフランジ３１は、外装部材２で覆われているため、あまり目立たない。つまり、外装部材２の径方向外方から工具を挿入する構成よりも、外装部材２の前方から工具を挿入する構成の方が、工具を挿通させる部分を加工し易く且つ、レンズ鏡筒１の美感上、好ましい。したがって、フランジ６４を光軸Ｘを向く面に取り付けることによって、外装部材２の前方から工具を挿入する構成とすることができ、その結果、レンズ鏡筒１の美感を損なうことなく、防塵リング６の取付を容易に実現することができる。
【００４０】
また、筒状部６３を光軸Ｘと直交する方向を向く面である本体部４０の外周面に取り付けることによって、１群レンズ保持部材１５の相対移動時に筒状部６３と本体部４０の外周面との間のシール性が悪化することを防止することができる。すなわち、１群レンズ保持部材１５の移動により可撓部６５に張力が生じても、筒状部６３と本体部４０とが対向する向きは、１群レンズ保持部材１５が移動する方向である光軸Ｘ方向と直交する方向であるため、該張力は筒状部６３に対して、筒状部６３を光軸Ｘに沿って摺動させるように作用する。つまり、可撓部６５の張力が筒状部６３を本体部４０の外周面から引き離す方向には作用しないため、筒状部６３と本体部４０の外周面との間のシール性を確保することができる。
【００４１】
《その他の実施形態》
本発明は、上記実施形態について、以下のような構成としてもよい。
【００４２】
前記環状ゴム６１の一方の周縁部にフランジ６４が形成され、他方の周縁部に筒状部６３が形成されているが、これに限られるものではない。実施形態において、筒状部６３が形成されている周縁部にフランジ部が形成され、フランジ６４が形成されてる周縁部に筒状部が形成される構成であってもよい。また、両方の周縁部にフランジ部が形成される構成であってもよい。さらに、フランジ部は、半径方向外方に突出するものだけでなく、半径方向内方に突出するものであってもよい。
【００４３】
また、フランジ６４は、金属リング６２によって取り付けられているが、これに限られるものではない。例えば、金属リング６２を省略して、フランジ６４を直接、ネジ止めする構成であってもよい。あるいは、金属リング６２以外の、フランジ６４よりも剛性の高い部材、例えば、硬質樹脂等で構成されたリング状の部材でフランジ６４を押圧した状態で取り付ける構成であってもよい。また、金属リング６２等の押さえ部材は環状ゴム６１と別体である必要はなく、インサート成形等によって一体的に構成されていてもよい。さらには、フランジ６４を可撓部６５よりも剛性が高い部材で構成してもよい。
【００４４】
さらに、前記環状ゴム６１の筒状部６３は、その係合爪部６３ａを本体部４０の突起部４０ａに係合させることで、本体部４０に取り付けているが、これに限られるものではない。例えば、係合爪部６３ａと突起部４０ａとの係合に加えて、ベルト状の部材で筒状部６３を外方から締め付けることで筒状部６３を本体部４０に取り付ける構成であってもよい。あるいは、係合爪部６３ａや突起部４０ａを設けず、該ベルト状の部材だけで、筒状部６３を本体部４０に取り付ける構成であってもよい。
【００４５】
また、防塵リング６は、１群レンズ保持部材１５の１群ホルダ４に取り付けられているが、これに限られるものではない。防塵リング６を１群レンズ枠３に取り付ける構成であってもよい。また、１群レンズ保持部材１５は、１群レンズ枠３と１群レンズホルダ４とで構成されている必要はなく、１つの部材であってもよい。
【００４６】
さらに、防塵リング６は、外装部材２と１群レンズ保持部材１５との間に設けられているが、これは一例である。防塵リング６は、外装部材２及び１群レンズ保持部材１５以外であっても、筒部材と、筒部材の内方に配設されて該筒部材に対して光軸方向に相対移動可能に構成された、レンズを保持する保持部材とに取り付ける構成であってもよい。ここで、「レンズを保持する」とは、レンズを直接的に保持するか、別の部材を介して間接的に保持するかを問わない。
【００４７】
尚、以上の実施形態は、本質的に好ましい例示であって、本発明、その適用物、あるいはその用途の範囲を制限することを意図するものではない。
【産業上の利用可能性】
【００４８】
以上説明したように、本発明は、筒部材と、その内部においてレンズを保持し且つ光軸方向に相対移動する保持部材とを備えるレンズ鏡筒について有用である。
【符号の説明】
【００４９】
Ｘ      光軸
１      レンズ鏡筒
１１    １群レンズ（レンズ）
１５    １群レンズ保持部材（保持部材）
２      外装部材（筒部材）
６      防塵リング（防塵部材）
６１    環状ゴム（本体部）
６２    金属リング（押さえ部材）
６４    フランジ
６４ｂ  リブ
【図１】
2010256568.tif 000003
【図２】
2010256568.tif 000004
【図３】
2010256568.tif 000005
【図４】
2010256568.tif 000006
【図５】
2010256568.tif 000007
【図６】
2010256568.tif 000008
【図７】
2010256568.tif 000009
【図８】
2010256568.tif 000010